(57)【要約】      （修正有）【課題】一方の端子金具が曲げられた場合に他方の端子金具が外れることを抑制する。【解決手段】組合せ端子Ｔは、上下に重ねられる２枚の端子金具１，２により構成され、貫通孔を有する組合せ端子Ｔであって、上側の端子金具１に設けられた上側の一対の平板部５Ｒ，５Ｌと、下側の端子金具２に設けられ上側の一対の平板部５Ｒ，５Ｌの下側に重ねられる下側の一対の平板部２５Ｒ，２５Ｌと、下側の一対の平板部２５Ｒ，２５Ｌを連結して設けられた受け板部１１と、上側の一対の平板部５Ｒ，５Ｌを連結して設けられ、受け板部１１の下方において一方向に差し込まれる段差部７と、上側の一対の平板部５Ｒ，５Ｌの少なくとも一方から他方に向かって突出し一方向において受け板部１１の前側に配置される抜止突起３２Ｒ，３２Ｌと、を備え、受け板部１１と抜止突起３２Ｒ，３２Ｌは、貫通孔の孔縁を構成する。【選択図】図４
2019096503.tif 000002
【特許請求の範囲】
【請求項１】
上下に重ねられる２枚の端子金具により構成され、貫通孔を有する組合せ端子であって、
上側の前記端子金具に設けられた上側の一対の平板部と、
下側の前記端子金具に設けられ前記上側の一対の平板部の下側に重ねられる下側の一対の平板部と、
前記下側の一対の平板部を連結して設けられた受け板部と、
前記上側の一対の平板部を連結して設けられ前記受け板部の下方において一方向に差し込まれる段差部と、
前記上側の一対の平板部の少なくとも一方から他方に向かって突出し前記一方向において前記受け板部の前側に配置される抜止突起と、を備え、
前記受け板部と前記抜止突起は、前記貫通孔の孔縁を構成する組合せ端子。
【請求項２】
上下に重ねられる２枚の端子金具により構成され、貫通孔を有する組合せ端子であって、
上側の前記端子金具に設けられた上側の一対の平板部と、
下側の前記端子金具に設けられ前記上側の一対の平板部の下側に重ねられる下側の一対の平板部と、
前記下側の一対の平板部を連結し前記下側の一対の平板部から段差状に上方に突出して設けられた受け板部と、
前記上側の一対の平板部を連結して設けられ前記受け板部の下方において一方向に差し込まれる段差部と、
前記上側の一対の平板部の少なくとも一方から他方に向かって突出し前記受け板部を前記一方向と直交する方向において押圧し保持する圧入突起と、を備え、
前記受け板部は前記一方向における前記貫通孔の前側孔縁を構成する請求項１に記載の組合せ端子。
【請求項３】
請求項２の組み合わせ端子であって、
前記上側の一対の平板部の少なくとも一方から他方に向かって突出し前記一方向において前記受け板部の前側に配置される抜止突起を備え、
前記受け板部と前記抜止突起は、前記貫通孔の後側孔縁を構成する組合せ端子。
【発明の詳細な説明】
【技術分野】
【０００１】
本明細書に開示された技術は、組合せ端子に関する。
【背景技術】
【０００２】
従来、複数の端子が重ね合わされてなる組合せ端子の一例として、例えば特許文献１のものがある。この組合せ端子はアース端子および端子用アダプタにより構成されている。アース端子と端子用アダプタは、アース端子の基板部を端子用アダプタの端子取付部に重ね合わせつつ、基板部からその板厚方向に突出する係止段部を取付基板部の係合段部のスリットに挟ませ係合段部に重ね合わせることで組み合わされる。
【０００３】
また、アース端子の片側の基板部には片持ち梁状の係止片が設けられ、端子取付部の片側の取付基板部には係止孔が形成されている。係止片は付け根部から先端部にかけて裏面に向かって漸次傾斜しており、その先端は基板部の裏面から突出している。アース端子を端子取付部に係合した状態では、係止片が係止孔の縁部に引っ掛かり、アース端子の後抜けが防止されるようになっている。
【先行技術文献】
【特許文献】
【０００４】
【特許文献１】特開２００５−５０６０３号公報
【発明の概要】
【発明が解決しようとする課題】
【０００５】
しかし上記の技術では、端子取付部が挿通孔の位置でＶ字状に裏面方向に曲げられ、係止孔の縁部が係止片の突出範囲を超えて変位した場合、係止片が係止孔に対して引っ掛かることができず、アース端子が端子取付部から外れて脱落してしまう。
【課題を解決するための手段】
【０００６】
本明細書に開示された技術に係る組合せ端子は、上下に重ねられる２枚の端子金具により構成され、貫通孔を有する組合せ端子であって、上側の前記端子金具に設けられた上側の一対の平板部と、下側の前記端子金具に設けられ前記上側の一対の平板部の下側に重ねられる下側の一対の平板部と、前記下側の一対の平板部を連結して設けられた受け板部と、前記上側の一対の平板部を連結して設けられ前記受け板部の下方において一方向に差し込まれる段差部と、前記上側の一対の平板部の少なくとも一方から他方に向かって突出し前記一方向において前記受け板部の前側に配置される抜止突起と、を備え、前記受け板部と前記抜止突起は、前記貫通孔の孔縁を構成する。
【０００７】
この構成によれば、下側の端子金具の受け板部および上側の端子金具の段差部は、上側の端子金具の平板部および下側の端子金具の平板部とは上下逆の噛み合い配置とされるから、両端子金具の重ね合わせ方向における離脱が規制される。また、段差部が受け板部に差し込まれる一方向において、抜止突起が受け板部の前縁に係止されるから、両端子金具は差し込み方向と逆方向へ変位して外れることが規制される。すなわち、両端子金具は重ね合わせ方向および差し込み方向への変位が規制されて組み合わせ状態が保持される。
【０００８】
また、受け板部と抜止突起は貫通孔の孔縁を構成し、言い換えれば貫通孔の孔縁を利用して設けられるから、各端子金具の大型化を避けることができる。
【０００９】
また、本実施形態に係る組合せ端子は、上下に重ねられる２枚の端子金具により構成され、貫通孔を有する組合せ端子であって、上側の前記端子金具に設けられた上側の一対の平板部と、下側の前記端子金具に設けられ前記上側の一対の平板部の下側に重ねられる下側の一対の平板部と、前記下側の一対の平板部を連結し前記下側の一対の平板部から段差状に上方に突出して設けられた受け板部と、前記上側の一対の平板部を連結して設けられ前記受け板部の下方において一方向に差し込まれる段差部と、前記上側の一対の平板部の少なくとも一方から他方に向かって突出し前記受け板部を前記一方向と直交する方向において押圧し保持する圧入突起と、を備え、前記受け板部は前記一方向における前記貫通孔の前側孔縁を構成する。
【００１０】
この構成によれば、下側の端子金具の受け板部および上側の端子金具の段差部は、上側の端子金具の平板部および下側の端子金具の平板部とは上下逆の噛み合い配置とされるから、両端子金具の重ね合わせ方向における離脱が規制される。また、圧入突起が受け板部を差し込み方向と直交する方向において押圧し保持するから、一方の端子金具が変位して他方の端子金具が外れることが規制される。
【発明の効果】
【００１１】
本明細書に開示された技術に係る端子によれば、一方の端子金具が曲げられた場合に他方の端子金具が外れることを抑制することができる。
【図面の簡単な説明】
【００１２】
【図１】実施形態の組合せ端子を斜め前方から見た斜視図
【図２】組合せ端子を斜め後方から見た斜視図
【図３】組合せ端子を上方から見た平面図
【図４】両端子金具を組み合わせる前の状態を示す斜視図
【図５】上側の端子金具を上方から見た平面図
【図６】下側の端子金具を上方から見た平面図
【図７】図３のＡ−Ａ断面図
【図８】図３のＢ−Ｂ断面図
【図９】図７のＣ−Ｃ断面図
【発明を実施するための形態】
【００１３】
＜実施形態＞
実施形態について図１から図９を参照して説明する。
【００１４】
本実施形態の組合せ端子Ｔは、図１から図３に示すように、互いに板厚方向に重ね合わせた状態で組み付けられる２枚の端子金具１，２から構成され、中央に上下に貫通するボルト挿通孔Ｈを備えている。両端子金具１，２は、いずれも所定形状に打ち抜いた導電性の金属板材を曲げ加工して形成される。なお、以下の説明においては、端子金具１，２の板厚方向を上下方向として図３の紙面手前側を上方とし、図３における右方を右方とし、上方を前方とする。また、端子金具１，２のそれぞれにおいては、互いに対する差し込み方向を先端側、抜き取り方向を末端側ということがある。また、両端子金具１，２間で同一構造のものについては、同一符号を付して、重複する説明を一部省略する。
【００１５】
上側に組み付けられる第一端子金具１は、図４及び図５に示すように、板状で角部が円弧状をなす略正方形の取付部３のみによって構成されている。取付部３は、前後方向に長い左右一対の平板部５Ｒ，５Ｌと、この平板部５Ｒ，５Ｌの前端近傍同士を橋渡し状に連結する先端側段差部６と、両平板部５Ｒ，５Ｌの後端部同士を橋渡し状に連結する末端側段差部７とからなり、これらに囲まれた中央部分には、ボルトを貫通させるための取付孔８が開口されている。両平板部５Ｒ，５Ｌは、図４に示すように、同じ高さに位置している。両平板部５Ｒ，５Ｌにおいて末端側段差部７付近には、一対の接触突起９が下方へ叩き出されて形成されている。
【００１６】
先端側段差部６は、より詳細には、左右に長い平板状の先端側受け板部１１と、タブ状の先端側差込部１３とを備えている。先端側受け板部１１の左右両端部は、略上下方向に向けて曲げられた一対の先端側連結部１２となっており、先端側受け板部１１は先端側連結部１２を介して両平板部５Ｒ，５Ｌの前端寄りに連結されている。これにより、先端側受け板部１１が両平板部５Ｒ，５Ｌに対して板厚略一枚分程度低くなるような段差状をなしている。先端側差込部１３は、先端側受け板部１１の先端縁から板面に沿って突出している。
図５に示すように、先端側差込部１３の左右端縁部と、両平板部５Ｒ，５Ｌの先端側内縁部３５Ｒ，３５Ｌと、先端側連結部１２とに囲われた領域には、前後方向に延びて前方へ開放する先端側スリット１４が形成されている。またこれにより、両平板部５Ｒ，５Ｌの前端部分は前側を自由端とする片持ち形状となっている。先端側差込部１３の上面には、上方へ叩き出されかつ前方へ向かって下り勾配となる係止突起１５が形成されている。
【００１７】
両平板部５Ｒ，５Ｌには、先端側スリット１４を形成する先端側内縁部３５Ｒ，３５Ｌから互いに向かって突出する左右一対の圧入突起３１Ｒ，３１Ｌが形成されている。圧入突起３１Ｒ，３１Ｌはそれぞれ、突出端に向かって前縁が後縁に近づくテーパ形状をなしている。
【００１８】
末端側段差部７は、より詳細には、左右に長い略平板状の末端側受け板部１７と、平板状の末端側差込部１９とを備えている。末端側受け板部１７の左右両端部は、上下方向に向けて曲げられた一対の末端側連結部１８となっており、末端側受け板部１７は末端側連結部１８を介して両平板部５Ｒ，５Ｌの後端に連結されている。これにより、末端側受け板部１７は両平板部５Ｒ，５Ｌに対して板厚略一枚分程度低くなるような段差状をなしている。末端側差込部１９は、末端側受け板部１７の先端縁から板面に沿って突出している。
末端側差込部１９の左右端縁部と、両平板部５Ｒ，５Ｌの末端側内縁部３６Ｒ，３６Ｌと、末端側連結部１８とに囲われた領域には、前後方向に延びて前方へ開放する末端側スリット２０が形成されている。また、末端側受け板部１７には長方形の係止孔２１が上下に貫通して形成されており、末端側差込部１９の上面にはその前端縁から係止孔２１に至るテーパ面２２が形成されている。
【００１９】
両平板部５Ｒ，５Ｌには、末端側スリット２０を形成する末端側内縁部３６Ｒ，３６Ｌよりも前の位置から互いに向かって突出する左右一対の抜止突起３２Ｒ，３２Ｌが設けられている。抜止突起３２Ｒ、３２Ｌは、後縁が末端側内縁部３６Ｒ，３６Ｌに対して垂直に延び、前縁が突出端に向かって後縁に近づくテーパ形状をなしている。
【００２０】
一方、下側に組み付けられる第二端子金具２は、図４及び図６に示すように、第一端子金具１と異なり、板状をなす取付部２４の左端部から左方に延出する電線接続部４が設けられるとともに、取付部２４の右端部から右方に延出する回り止め部２６が設けられており、全体として左右に長い形状とされている。
【００２１】
取付部２４は、左右一対の平板部２５Ｒ，２５Ｌと、この両平板部２５Ｒ，２５Ｌの先端部（図６における後側）同士を連結する先端側段差部６と、両平板部２５Ｒ，２５Ｌの末端部（図６における前側）同士を連結する末端側段差部７とを備え、中央に取付孔８を有している。この２つの段差部６，７は、第一端子金具１の先端側段差部６および末端側段差部７を左右方向の軸を中心として１８０°回転させたものであり、両端子金具１，２の取付部３，２４における取付孔８回りの構造は、左右方向の軸に関して概ね対称の関係となっている。また、両平板部２５Ｒ，２５Ｌにはそれぞれ、末端側段差部７付近に一対の接触突起９が上方へ叩き出されて形成されている。
【００２２】
電線接続部４は、平板部２５Ｌのうち末端側（図６における前側）約半分から左方に延出した形状とされ、図示しない電線の芯線をかしめ付けるワイヤバレル４Ａと、図示しない電線の被覆をかしめ付けるインシュレーションバレル４Ｂとをそれぞれ前後一対ずつ備えている。
【００２３】
回り止め部２６は、平板部２５Ｒから右方へ先細り状に延出する板状とされ、その右端部は下方へ折り曲げられている。この回り止め部２６は、右端部が取付面付近に凹設された溝部（図示せず）に嵌まり込むことで、ボルトを回し付けるときに、端子金具１，２の連れ回りを規制することができるので、ボルト締め操作が容易となる。
【００２４】
さて、両端子金具１，２の各先端側スリット１４にはそれぞれ相手側端子金具２，１の末端側連結部１８を、各末端側スリット２０には相手側の先端側連結部１２を差し込んで係合可能とされている。そして、第一端子金具１における両平板部５Ｒ，５Ｌの先端側内縁部３５Ｒ，３５Ｌには、前述のように圧入突起３１Ｒ，３１Ｌが形成されており、これらの圧入突起３１Ｒ，３１Ｌが第二端子金具２の末端側連結部１８に押圧し保持されている。この結果、末端側連結部１８が一対の圧入突起３１Ｒ，３１Ｌによって左右方向から挟持されている。また、第一端子金具１における両平板部５Ｒ，５Ｌの末端側内縁部３６Ｒ，３６Ｌには、前述のように抜止突起３２Ｒ，３２Ｌが形成されており、これらの抜止突起３２Ｒ，３２Ｌが第二端子金具２の先端側連結部１２の前縁に前方から係止すべく近接した位置に対向状態で配置されている。
【００２５】
なお、上述の通り、第二端子金具２の取付部３の左右にはそれぞれ電線接続部４と回り止め部２６が設けられているが、第一端子金具１は電線接続部および回り止め部を備えず、板状で角部が円弧状をなす略正方形の取付部３のみによって構成されている。したがって、両端子金具１，２が組み合わされて組合せ端子Ｔとされた状態では、図１から図３に示すように、中央部分は両端子金具１，２の取付部３が互いに噛み合わせて重ねられた２枚構造になっている一方、その左右に配された電線接続部４および回り止め部２６は第二端子金具２のみによって構成される１枚構造となっている。
【００２６】
次に本実施形態の作用を説明する。
組み付けに際しては、まず、図４に矢線で示すように、第一端子金具１を第二端子金具２の上面に重ねつつ第一端子金具１の先端側段差部６を第二端子金具２の取付孔８の内側に進入させ、第一端子金具１の末端側段差部７を第二端子金具２の先端側段差部６の後下方に配置する。この状態から第一端子金具１を第二端子金具２に対して前方向へ板面に沿ってスライドさせると、両端子金具１，２の先端側差込部１３および末端側差込部１９がそれぞれ相手の端子金具２，１の末端側差込部１９および先端側差込部１３の下側に進入するとともに、各先端側差込部１３の係止突起１５が相手側のテーパ面２２に乗り上げて、先端側差込部１３が厚み方向に若干撓み変形する。一方で、各接触突起９が相手側の平板部５Ｒ，５Ｌ，２５Ｒ，２５Ｌに当接することで、各平板部５Ｒ，５Ｌ，２５Ｒ，２５Ｌが互いに相手側から若干離間して、両端子金具１，２が互いに反り返るような姿勢に弾性的に変形する。
【００２７】
そして、両端子金具１，２をさらにスライドさせると、各先端側差込部１３および末端側差込部１９がそれぞれ相手側の末端側受け板部１７および先端側受け板部１１に重なる位置まで差し込まれるとともに、各先端側連結部１２が相手の末端側スリット２０に、各末端側連結部１８が相手の先端側スリット１４に差し込まれる。これとともに、第一端子金具１の圧入突起３１Ｒ，３１Ｌの突出端が第二端子金具２の末端側連結部１８に当接して若干押し潰されながら、末端側連結部１８の側方を前方向に向かって移動する。また、第一端子金具１の抜止突起３２Ｒ，３２Ｌが第二端子金具２の先端側連結部１２に摺接しながら前方に相対移動する。
【００２８】
そして、取付孔８，８同士が整合し両取付孔８，８の孔縁によってボルト挿通孔Ｈが形成される正規の組み付け位置まで至ると、図７に示すように、厚み方向に撓み変形していた先端側差込部１３が復元変形するとともに、係止突起１５が相手側の係止孔２１に嵌合し、これにより両取付部３，２４の逆方向のスライドが規制された正規の組み付け状態で保持される。
【００２９】
この正規の組み付け状態では、両端子金具１，２における先端側差込部１３がそれぞれ相手側の末端側受け板部１７の反対面側に差し込まれて、この噛み合いによって両端子金具１，２が厚み方向（上下方向）に離脱することが規制される。
【００３０】
また、この組み付け状態においては、図２および図８（Ａ）に示すように、第一端子金具１の先端側スリット１４および末端側スリット２０内にそれぞれ末端側連結部１８および先端側連結部１２が差し込まれた部分において、両端子金具１，２が交差した形態となっている。圧入突起３１Ｒ，３１Ｌは、図８（Ｂ）および図９に示すように、互いの間に第二端子金具２の末端側連結部１８を緊密に挟持している。抜止突起３２Ｒ，３２Ｌは、図９に示すように、第二端子金具２の先端側連結部１２の前縁に対して前方から当接可能に対向して配置されている。抜止突起３２Ｒ、３２Ｌの前縁は第二端子金具２の先端側受け板部１１の前縁とともに略円弧形状をなし、ボルト挿通孔Ｈの後側孔縁となっている。
【００３１】
上記のようにして両端子金具１，２が互いに組み付けられることで形成された組合せ端子Ｔは、回り止め部２６を取付面付近の溝部（図示せず）に嵌め込むとともに、ボルトをボルト挿通孔Ｈに挿通させてねじ締めすることで取り付けられるが、例えば取り付け前の運搬中に他部材等に引っかかって無理な力が加えられることが起こり得る。この場合、先端側段差部６と末端側段差部７との噛み合い部分は比較的強度が高いため変形を生じにくく、また第一端子金具１は左右長さが第二端子金具２よりも短く他部材等に引っかかりにくいことから、第二端子金具２のみが先端側段差部６および末端側段差部７を中心としてＶ字状に折れ曲がるような変形を生じる可能性が比較的高い。この場合、図３のＡ−Ａ切断線を中心として山形に折れ曲がり、係止突起１５が相手側の係止孔２１から離脱するように浮き上がって変位してしまい、両端子金具１，２の脱落の一因となりやすい。
【００３２】
ところが、第一端子金具１の先端側スリット１４および末端側スリット２０内にそれぞれ末端側連結部１８および先端側連結部１２が差し込まれた部分においては両端子金具１，２が交差した形態となっているから、この部分においては両端子金具１，２が互いに離間しにくくなっている。そして、この交差したライン上に圧入突起３１Ｒ，３１Ｌ、抜止突起３２Ｒ，３２Ｌを配置しているから、第二端子金具２のみが曲げられたとしても、圧入突起、抜止突起による脱落防止構造を維持しやすいものとなっている。
【００３３】
第二端子金具２がわずかに曲げられた場合、平板部２５Ｒ（図８（Ｂ）参照），５Ｒの各接触突起９が相手側の平板部５Ｒ，５Ｌから離間するため、接触突起９による上下方向への変位に対する規制はない状態になる。しかしながら、依然として第一端子金具１の圧入突起３１Ｒ，３１Ｌが、互いの間に第二端子金具２の末端側連結部１８を緊密に挟持し第一端子金具１が上方に相対移動することを規制するから、第一端子金具１が第二端子金具２から外れ難い。
【００３４】
また、仮に第二端子金具２の末端側連結部１８が圧入突起３１Ｒ，３１Ｌによる挟持可能範囲を超えて下方に相対変位しても、第一端子金具１の抜止突起３２Ｒ，３２Ｌが第二端子金具２の先端側連結部１２に前方から当接し第一端子金具１の後方への変位を規制するから、第一端子金具１が第二端子金具２から後方に抜け落ち難い。特に本実施形態においては、電線接続部４にかけられた変形力は先端側連結部１２には伝わり難く、したがって抜止突起３２Ｒ，３２Ｌの当接可能範囲を超える先端側連結部１２の変形が生じ難い。これにより、第二端子金具２が大きく曲げられた場合にも、抜止突起３２Ｒ，３２Ｌの少なくともいずれかが第二端子金具２の先端側連結部１２に引っ掛かり、第一端子金具１と第二端子金具２の組み合わせ状態を維持することができる。
【００３５】
本明細書に開示された技術に係る組合せ端子Ｔは、上下に重ねられる２枚の端子金具１，２により構成され、貫通孔Ｈを有する組合せ端子Ｔであって、上側の前記端子金具１に設けられた上側の一対の平板部５Ｒ，５Ｌと、下側の前記端子金具２に設けられ前記上側の一対の平板部５Ｒ，５Ｌの下側に重ねられる下側の一対の平板部２５Ｒ，２５Ｌと、前記下側の一対の平板部５Ｒ，５Ｌを連結して設けられた受け板部１１と、前記上側の一対の平板部５Ｒ，５Ｌを連結して設けられ前記受け板部１１の下方において一方向（前方向）に差し込まれる段差部７と、前記上側の一対の平板部５Ｒ，５Ｌの少なくとも一方から他方に向かって突出し前記一方向において前記受け板部１１の前側に配置される抜止突起３２Ｒ，３２Ｌと、を備え、前記受け板部１１と前記抜止突起３２Ｒ，３２Ｌは、前記貫通孔Ｈの孔縁を構成する。
【００３６】
この構成によれば、下側の端子金具２の受け板部１１および上側の端子金具１の段差部７は、上側の端子金具１の平板部５Ｒ，５Ｌおよび下側の端子金具２の平板部２５Ｒ，２５Ｌとは上下逆の噛み合い配置とされるから、両端子金具１，２の重ね合わせ方向における離脱が規制される。また、段差部７が受け板部１１に差し込まれる一方向において、抜止突起３２Ｒ，３２Ｌが受け板部１１の前縁に係止されるから、両端子金具１，２は差し込み方向と逆方向へ変位して外れることが規制される。すなわち、両端子金具１，２は重ね合わせ方向および差し込み方向への変位が規制されて組み合わせ状態が保持される。
【００３７】
また、受け板部１１と抜止突起３２Ｒ，３２Ｌは貫通孔Ｈの孔縁を構成し、言い換えれば貫通孔Ｈの孔縁を利用して設けられるから、各端子金具１，２の大型化を避けることができる。
【００３８】
また、本実施形態に係る組合せ端子Ｔは、上下に重ねられる２枚の端子金具１，２により構成され、貫通孔Ｈを有する組合せ端子Ｔであって、上側の前記端子金具１に設けられた上側の一対の平板部５Ｒ，５Ｌと、下側の前記端子金具２に設けられ前記上側の一対の平板部５Ｒ，５Ｌの下側に重ねられる下側の一対の平板部２５Ｒ，２５Ｌと、前記下側の一対の平板部２５Ｒ，２５Ｌを連結し前記下側の一対の平板部２５Ｒ，２５Ｌから段差状に上方に突出して設けられた受け板部１７と、前記上側の一対の平板部５Ｒ，５Ｌを連結して設けられ前記受け板部１７の下方において一方向に差し込まれる段差部６と、前記上側の一対の平板部５Ｒ，５Ｌの少なくとも一方から他方に向かって突出し前記受け板部１７を前記一方向と直交する方向において押圧し保持する圧入突起３１Ｒ，３１Ｌと、を備え、前記受け板部１７は前記一方向における前記貫通孔Ｈの前側孔縁を構成する。
【００３９】
この構成によれば、下側の端子金具２の受け板部１７および上側の端子金具１の段差部６は、上側の端子金具１の平板部５Ｒ，５Ｌおよび下側の端子金具２の平板部２５Ｒ，２５Ｌとは上下逆の噛み合い配置とされるから、両端子金具１，２の重ね合わせ方向における離脱が規制される。また、圧入突起３１Ｒ，３１Ｌが受け板部１７を差し込み方向と直交する方向において押圧保持するから、一方の端子金具１，２が変位して他方の端子金具２，１が外れることが規制される。
【００４０】
＜他の実施形態＞
本明細書に開示された技術は上記記述及び図面によって説明した実施形態に限定されるものではなく、例えば次のような形態で実施することが可能である。
【００４１】
（１）上記実施形態においては、上側の端子金具１は抜止突起３２Ｒ，３２Ｌおよび圧入突起３１Ｒ，３１Ｌを備える構成としたが、必ずしも抜止突起３２Ｒ，３２Ｌと圧入突起３１Ｒ，３１Ｌの両方を備える必要はなく、抜止突起と圧入突起のいずれかのみを備える構成としてもよい。
【００４２】
（２）上記実施形態においては、上側の端子金具１は左右一対の抜止突起３２Ｒ，３２Ｌを備える構成としたが、抜止突起は必ずしも一対でなくてもよく、抜止突起を一つのみ備える構成としてもよい。また、上側の端子金具１は左右一対の圧入突起３１Ｒ，３１Ｌを備える構成としたが、圧入突起は必ずしも一対でなくてもよく、圧入突起を一つのみ備える構成としてもよい。
【００４３】
（３）上記実施形態においては、下側の端子金具２の電線接続部４は左側の平板部２５Ｌのうち前側半分から左方に延出する構成としたが、電線接続部４の構成はこれに限らず、例えば一方の平板部の前後幅全体から延出する構成としてもよい。
【符号の説明】
【００４４】
Ｔ：組合せ端子
１：第一端子金具
２：第二端子金具
５Ｒ，５Ｌ：平板部（上側の平板部）
６：先端側段差部（段差部）
７：末端側段差部（段差部）
１１：先端側受け板部（受け板部）
１７：末端側受け板部（受け板部）
２５Ｒ，２５Ｌ：平板部（下側の平板部）
３１Ｒ，３１Ｌ：圧入突起
３２Ｒ，３２Ｌ：抜止突起
Ｈ：ボルト挿通孔（貫通孔）
【図１】
2019096503.tif 000003
【図２】
2019096503.tif 000004
【図３】
2019096503.tif 000005
【図４】
2019096503.tif 000006
【図５】
2019096503.tif 000007
【図６】
2019096503.tif 000008
【図７】
2019096503.tif 000009
【図８】
2019096503.tif 000010
【図９】
2019096503.tif 000011